(57)【特許請求の範囲】
【請求項１】
天井の点検口に対して天井裏側から嵌合された点検蓋を固定具によって前記点検口の縁部に固定して、前記点検蓋の浮き上がりを防止する天井点検蓋固定構造において、
前記点検口の縁部には、起立片が形成されており、
前記点検蓋は、外縁近傍に挿通孔が形成されており、
前記固定具は、前記挿通孔に挿通される操作軸部材と、前記点検蓋の裏面において前記挿通孔に挿通された操作軸部材に取り付けられる係止体とを備え、
前記係止体は、前記起立片に係止される掛け金部を有し、
前記起立片の先端部には、前記点検口とは反対側に折曲して支持部が形成され、
前記掛け金部は、コ字状に形成されており、前記点検蓋の外縁部と前記起立片の支持部とが重なった状態において、前記点検蓋の外縁部と前記起立片の支持部とを挟み込む
天井点検蓋固定構造。
【請求項２】
前記掛け金部には、前記コ字状をなす相対する片の何れか一方に、それと対向する前記点検蓋の外縁部を押圧する弾性片が形成されている
請求項１記載の天井点検蓋固定構造。
【請求項３】
前記掛け金部には、前記コ字状をなす相対する片の何れか他方に、それと対向する前記起立片の支持部を支持する突部が形成されている
請求項２記載の天井点検蓋固定構造。
【請求項４】
前記点検蓋の外縁部と前記起立片の支持部との間には、シール材が設けられている
請求項２又は３記載の天井点検蓋固定構造。
【発明の詳細な説明】
【技術分野】
【０００１】
本発明は、天井の点検口に対して天井裏側から嵌合された点検蓋を固定具によって点検口の縁部に固定する天井点検蓋固定構造に関する。
【背景技術】
【０００２】
浴室等の天井には、天井裏の電気配線、換気設備等のメンテナンスを行うための点検口が設けられ、通常、この点検口には、点検蓋が取り付けられている。この点検蓋は、天井裏側から点検口に被せるように点検口の周縁部に係合させただけのものが一般的である。メンテナンスを行うときには、点検蓋を天井裏側へと持ち上げてずらすことにより、点検口を開口する。
【０００３】
しかしながら、このように単に蓋体を天井裏側から点検蓋を点検口に係合させただけの構造では、例えば密閉性の高いユニットバスルームの場合、ドアの開閉時に、風圧によって点検蓋が持ち上がってしまうことがある。また、天井の拭き掃除を行う際に点検蓋が持ち上がってしまう等の不都合がある。そこで、このような天井の点検口の点検蓋を簡易に固定する固定構造として下記特許文献１に示すようなものがある。
【０００４】
この特許文献１には、天井に設けられた点検口の周縁部に、点検蓋を天井裏側から係合させ、点検蓋で点検口を閉塞し固定する天井点検蓋固定構造が記載されている。この構造に用いられる固定具は、部屋側の天井表面に臨む押さえ板に、偏芯して回転軸が立設されている。点検蓋には、外縁近傍に挿通孔が形成され、固定具は、押さえ板が天井表面に位置するように、回転軸を挿通孔に挿通して取り付けられる。押さえ板には、回転軸が偏芯されていることで、回転軸から外周縁まで大きく張り出した係止部が形成されている。固定具は、回転操作されて、押さえ板の係止部が点検蓋と点検口の周縁に跨るように位置することで、点検蓋を点検口に固定し、点検蓋が天井裏側に浮き上がることを防止する。
【０００５】
また、点検蓋の外周縁と点検口の周縁部との間には、ゴムパッキンが介在され、点検蓋の外周縁と点検口の周縁部とはゴムパッキンに密着される。
【０００６】
なお、点検蓋は、固定具が回転されて、押さえ板の係止部が点検口周縁から退避すると、点検口から浮き上がらせて点検口から外すことができるようになる。
【先行技術文献】
【特許文献】
【０００７】
【特許文献１】特許第３８９４３０９号公報
【発明の概要】
【発明が解決しようとする課題】
【０００８】
しかしながら、特許文献１の固定具は、押さえ板が部屋側の天井表面に位置し、利用者の目につく部分に位置する。また、押さえ板は、係止部が点検蓋と点検口の周縁部とに跨る大きさが必要となり、大きな部分である。このため、部屋の天井において、押さえ板は、目立ち、利用者から見て決して見栄えの良いものではない。
【０００９】
本発明は、点検蓋を天井に係止する部位が天井の表面側から見て視認されることを抑えることができる天井点検蓋固定構造を提供することを目的とする。
【課題を解決するための手段】
【００１０】
上記課題を解決する天井点検蓋固定構造は、天井の点検口に対して天井裏側から嵌合された点検蓋を固定具によって点検口の縁部に固定して、点検蓋の浮き上がりを防止する。前記点検口の縁部には、起立片が形成されており、前記点検蓋は、外縁近傍に挿通孔が形成されている。前記固定具は、前記挿通孔に挿通される操作軸部材と、前記点検蓋の裏面において前記挿通孔に挿通された操作軸部材に取り付けられる係止体とを備える。前記係止体は、前記起立片に係止される掛け金部を有している。
【００１１】
上記構成によれば、前記係止体は、前記点検蓋の裏側に配置され、利用者から目に付かない位置に配置され、前記点検蓋の部屋側の表面には、前記操作軸部材の頭部だけが露出する。したがって、前記天井点検蓋固定構造では、前記操作軸部材の頭部が天井の表面側から見て視認されることを抑えることができる。すなわち、前記操作軸部材の頭部は、小さいものであり、従って、利用者から目立たなくすることができる。
【００１２】
上記天井点検蓋固定構造において、更に、前記起立片の先端部には、前記点検口とは反対側に折曲して支持部を形成し、前記掛け金部を、コ字状に形成し、前記点検蓋の外縁部と前記起立片の支持部とが重なった状態において、前記点検蓋の外縁部と前記起立片の支持部とを挟み込むようにしてもよい。
【００１３】
上記構成によれば、前記掛け金部がコ字状に形成され、前記点検蓋の外縁部と前記起立片の支持部とを挟み込むようにしているので、前記点検蓋の外縁部と前記起立片の支持部とを挟み込む保持力を高くすることができる。
【００１４】
上記天井点検蓋固定構造において、更に、前記掛け金部には、前記コ字状をなす相対する片の何れか一方に、それと対向する前記点検蓋の外縁部を押圧する弾性片を形成するようにしてもよい。また、前記掛け金部には、前記コ字状をなす相対する片の何れか他方に、それと対向する前記起立片の支持部を支持する突部を形成するようにしてもよい。前記弾性片や前記突部を設けたときには、前記点検蓋の外縁部と前記起立片の支持部との間にシール材を介在させてもよい。
【００１５】
上記構成によれば、前記弾性片で、重なっている前記点検蓋の外縁部を押圧することができる。また、前記突部で、重なっている前記起立片の支持部を支持することができる。これにより、重なっている前記点検蓋の外縁部と前記起立片の支持部とが所定の圧力で挟み込まれ、これらの間を確実にシールすることができる。前記シール材を介在させたときには、シール材を前記点検蓋の外縁部と前記起立片の支持部とでしっかりと押し潰すことができ、一層シール性を高めることができる。
【発明の効果】
【００１６】
以上のような構成によれば、点検蓋の挿通孔に挿通された操作軸部材に取り付けられ、点検蓋の裏側に隠れる。したがって、点検蓋の部屋側の表面には、操作軸部材の頭部のみが露出される。したがって、操作軸部材の頭部が天井の表面側から見て視認されることを抑えることができる。
【図面の簡単な説明】
【００１７】
【図１】天井点検蓋固定構造の分解斜視図である。
【図２】操作軸部材及び係止体の斜視図である。
【図３】係止体を一方の側から見た斜視図である。
【図４】係止体を他方の側から見た斜視図である。
【図５】係止体が点検蓋をロックしていない状態を示し、（ａ）は側面図、（ｂ）は平面図である。
【図６】係止体が点検蓋をロックしている状態を示し、（ａ）は側面図、（ｂ）は平面図である。
【図７】掛け金部にアーム部が形成されていない係止体を用いた天井点検蓋固定構造の変形例を示す側面図であり、係止体が点検蓋をロックしていない状態を示す。
【図８】掛け金部にアーム部が形成されていない係止体を用いた天井点検蓋固定構造の変形例を示す側面図であり、係止体が点検蓋をロックしている状態を示す。
【図９】天井点検蓋固定構造の変形例の分解斜視図である。
【図１０】組立後の天井点検蓋固定構造の斜視図である。
【図１１】係止体にカバーが取り付けられた状態を示す断面図である。
【発明を実施するための形態】
【００１８】
以下、本発明における天井点検蓋固定構造を具体化した一実施の形態を図面を参照して説明する。
【００１９】
［天井点検蓋固定構造の概要］
図１に示す天井点検蓋固定構造１は、天井パネル２の点検口３が点検蓋４で開閉可能とするとともに、点検蓋４が点検口３を閉塞した状態を固定具５でロックする構造である。
【００２０】
図１に示すように、天井パネル２は、天井裏側に石膏ボード２ａが配設されている。天井パネル２の点検口３の周辺部は、石膏ボード２ａが配設されておらず、石膏ボード２ａ等を支持する例えば薄い鉄板の表面に化粧用の塩化ビニル等の合成樹脂被膜を施した天板２ｂだけとなっている。点検口３は、例えば略矩形に形成されており、点検口３の開口端には、天板２ｂの外縁を天井裏側に折曲して起立片３ａが形成されている。更に、起立片３ａには、先端部が点検口３とは反対側に略く字状に折曲された支持部３ｂが形成されている。
【００２１】
このような点検口３を閉塞する点検蓋４もまた、石膏ボード４ａが例えば薄い鉄板の表面に化粧用の塩化ビニル等の合成樹脂被膜を施した蓋板４ｂに配設されてなり、外周部は、蓋板４ｂだけとなっている。点検蓋４の外縁部は、蓋板４ｂによって立ち上がり部４ｃが形成されている。更に、立ち上がり部４ｃの先端部には、外側に折曲した外縁片４ｄが張り出すように形成されている。
【００２２】
点検蓋４は、立ち上がり部４ｃの内側の平坦な部分が蓋部となっており、点検口３と略同じ形状で略同じ大きさとなっており、天井裏側から点検口３に嵌合するように取り付けられる。点検蓋４は、点検口３を閉塞しているとき、立ち上がり部４ｃが天井パネル２側の起立片３ａの内側に位置するように重なり、外縁片４ｄが起立片３ａの支持部３ｂの上に重なる。これにより、天井パネル２の起立片３ａ及び支持部３ｂは、点検蓋４の荷重を支持する。また、点検蓋４の外縁片４ｄと起立片３ａの支持部３ｂとの間には、ゴム等のシール材６を介在されている。このような点検蓋４は、固定具５によって、点検口３に固定され、風圧等による浮き上がりが防止されている。
【００２３】
［固定具の構成］
図１に示すように、点検口３から点検蓋４が浮き上がることを防止するため点検蓋４を固定する固定具５は、点検蓋４の外周縁近傍に形成された挿通孔１０に挿通される操作軸部材１１と、点検蓋４の裏面において操作軸部材１１に取り付けられる係止体１２とを備えている。
【００２４】
［操作軸部材の構成］
図１及び図２に示すように、操作軸部材１１は、ＰＯＭ等の樹脂成型品であって、全体がピン状部材である。具体的に、操作軸部材１１は、挿通孔１０に挿通される部分となるピン部１３と、ピン部１３の基端側に形成されるピン頭部１４とを有している。
【００２５】
ピン部１３は、円柱の軸線方向に相対して平行な平面を形成した断面略楕円状をなし、先端部が先鋭に形成されている。ピン部１３の相対する平面１３ａ，１３ａは、係止体１２に取り付けられた際の係止体１２に対する回転規制面となる。勿論、回転規制できるのであれば、平面１３ａ，１３ａは、必ずしも平行でなくてもよいし、曲面や凹凸面等であってもよい。
【００２６】
ピン部１３の平面１３ａ，１３ａのそれぞれには、ピン軸線方向に沿って係合片１５，１５が形成されている。係合片１５，１５は、軸線に沿った直角三角形状をなし、ピン先端側の斜辺が係止体１２に取り付ける際の挿入ガイド部となり、ピン基端側のピン軸線と垂直な底辺が係止体１２に取り付けられる際の係合部となる。
【００２７】
また、ピン部１３の相対する曲面には、ピン軸線と直交する方向に貫通した長孔１６が形成れている。長孔１６は、その長軸がピン軸線方向となるように形成されており、長孔１６の両側が薄肉となる。これにより、ピン部１３は、長孔１６の両側に、ピン軸線直角方向に弾性変位する変位部１７，１７が形成される。
【００２８】
ピン部１３の基端に位置するピン頭部１４は、頂面に、操作軸部材１１を回転するドライバ等の工具が係合される溝部１８が形成されている。ここでは、−（マイナス）溝が形成されているが、＋（プラス）溝としてもよい。ピン部１３の基端部及びピン頭部１４の座面には、ゴム等で形成されたパッキン１９が取り付けられる。このため、ピン部１３の基端部には、環状にパッキン１９の取付溝１９ａが形成されている。パッキン１９は、リング状に形成され、リング中央の開口が取付溝１９ａに係合されることで、位置決めされ、更に、ピン部１３からの脱落が防止される。
【００２９】
［係止体の構成］
図３及び図４に示すように、天井裏側に配設される係止体１２は、ステンレス等の金属板をプレス加工して形成され、樹脂成型の場合より機械的強度が高められている。この係止体１２は、矩形状をなす基板部２１を有し、この基板部２１には、縁部から略９０°折曲された連結部２０を介して操作軸部材１１が取り付けられる一対のピン支持片２２，２２が形成されている。一対のピン支持片２２，２２は、基板部２１に対して略垂直で、互いに対向する平板であって、間に、基板部２１に対して垂直な方向から操作軸部材１１のピン部１３が挿入される。ピン支持片２２，２２の間隔は、挿入されるピン部１３の平面１３ａ，１３ａ間の厚さと一致するか、圧入できる程度に平面１３ａ，１３ａ間の厚さより若干狭く形成されている。各ピン支持片２２，２２には、ピン部１３の係合片１５，１５が係合される係合孔２２ａ，２２ａが形成されている。更に、ピン支持片２２，２２の先端部は、拡幅するように互いに外側を向くように折曲されており、操作軸部材１１のピン部１３を向かい入れる際のガイド部２２ｂとなっている。
【００３０】
更に、基板部２１には、ピン支持片２２，２２の間に、ピン支持片２２，２２間に挿入されたピン部１３の先端部が挿通される貫通孔２３が形成されている。貫通孔２３は、ピン部１３の先端部の形状に合わせた形状となっており、回転時、ピン部１３の先端部が係合するように非円形となっている。
【００３１】
係止体１２は、ピン支持片２２，２２間に、ピン部１３が挿入されると、先端部が基板部２１の貫通孔２３から突出し、更に、ピン部１３の係合片１５，１５がピン支持片２２，２２の係合孔２２ａ，２２ａに係合される。ピン部１３は、係合片１５，１５の挿入側が直角三角形の斜辺となっているので、ピン支持片２２，２２の間を、変位部１７，１７が長孔１６側に弾性変位しながら円滑に進入し、係合片１５，１５が係合孔２２ａ，２２ａに係合した時点で変位部１７，１７が弾性復帰する。係合片１５，１５は、直角三角形の底辺がピン軸線に対して垂直なので、確実に、係合孔２２ａ，２２ａに係合され、脱落が防止される。また、係止体１２は、ピン部１３の平面１３ａ，１３ａが平板のピン支持片２２，２２と面接触し、更に、ピン部１３が貫通孔２３に係合することで、操作軸部材１１に対して回転規制され、常に操作軸部材１１と一体的に回転する。
【００３２】
係止体１２の回転支点は、ピン支持片２２，２２間に挿入された操作軸部材１１となる。係止体１２の回動支点は、次に説明する天井パネル２の起立片３ａや支持部３ｂに係止される掛け金部２４の移動量を十分に確保するために、基板部２１の中心から何れかの方向に離れた位置に設けられている。ここでは、回転中心が基板部２１の長辺方向であって掛け金部２４と反対側に設けられている。なお、掛け金部２４が天井パネル２の起立片３ａや支持部３ｂと係脱可能であれば、係止体１２の回転支点は、基板部２１の中心若しくは中心寄りに設けられていてもよい。
【００３３】
図３及び図４に示すように、基板部２１には、更に、点検蓋４が点検口３を閉塞しているときに、天井パネル２の起立片３ａや支持部３ｂに係止される掛け金部２４が形成されている。掛け金部２４は、基板部２１に対して折曲された連結部２５と、連結部２５に対して折曲され基板部２１と離間して対向するアーム部２６とを有し、基板部２１と連結部２５とアーム部２６とでコ字状をなしている。基板部２１とアーム部２６との間隔は、重なり合った天井パネル２の起立片３ａの支持部３ｂと点検蓋４の外縁片４ｄとが進入可能な程度の寸法となっている。アーム部２６は、回転時の移動量が大きくなるように、係止体１２の回転支点となる操作軸部材１１の位置から離れた側に形成されている。ここでは、アーム部２６は、先端部が基板部２１と重ならない位置まで延出するように形成されている。
【００３４】
掛け金部２４を構成する基板部２１とアーム部２６との間には、点検蓋４側の外縁片４ｄが基板部２１側に位置し、天井パネル２側の起立片３ａや支持部３ｂがアーム部２６側に位置するように挿入される。基板部２１には、点検蓋４側の外縁片４ｄをアーム部２６側に押圧する弾性片２７が形成されている。弾性片２７は、基板部２１に、コ字状のスリットを形成し、片を切り起こすことによって形成されている。また、弾性片２７は、く字状をなしてアーム部２６側に突出することで、点検蓋４の外縁片４ｄと接触する。
【００３５】
アーム部２６には、天井パネル２側の起立片３ａの先端側の支持部３ｂを支持する突部２８が形成されている。突部２８は、アーム部２６の先端部を基板部２１側に折曲してテーパ部を形成し、基板部２１側に突出し、天井パネル２側の起立片３ａの先端側の支持部３ｂを支持する。また、突部２８は、テーパ部によって、先端が外側に向かって広がるように形成され、円滑に、起立片３ａの先端側の支持部３ｂを、基板部２１とアーム部２６との間に向かい入れることができる。
【００３６】
［点検蓋の固定方法］
図１に示すように、点検蓋４を点検口３に取り付ける際には、点検蓋４の点検口３への取り付けに先だって、点検蓋４に固定具５、すなわち操作軸部材１１と係止体１２とが取り付けられる。具体的に、操作軸部材１１のピン部１３には、パッキン１９が挿入されピン部１３の基端にある取付溝１９ａに係止される。パッキン１９が取り付けられた操作軸部材１１は、ピン部１３の先端部が点検蓋４の部屋側となる表面側から挿通孔１０に挿通される。
【００３７】
すると、点検蓋４の裏面側では、挿通孔１０に挿通されたピン部１３に係止体１２が取り付けられる。図１及び図２に示すように、具体的には、挿通孔１０を挿通したピン部１３が係止体１２の一対のピン支持片２２，２２間に挿入される。この際、ピン支持片２２，２２間には、ピン部１３の平面１３ａ，１３ａがピン支持片２２，２２に摺接するように挿入される。ピン部１３がピン支持片２２，２２間に完全に挿入されたときには、ピン部１３の先端部が貫通孔２３から突出する。また、ピン部１３の係合片１５，１５は、ピン支持片２２，２２の係合孔２２ａ，２２ａに係合する。これにより、操作軸部材１１と係止体１２とは、一体的となる。すなわち、係止体１２は、係合片１５，１５が係合孔２２ａ，２２ａに係合することで、ピン部１３からの脱落が防止された状態となる。これと共に、係止体１２は、ピン部１３の平面１３ａ，１３ａがピン支持片２２，２２に挟まれると共にピン部１３が貫通孔２３に係合することで操作軸部材１１に対する回転が規制された状態となる。
【００３８】
そして、図５（ａ）及び（ｂ）に示すように、点検蓋４は、固定具５が取り付けられた状態で、点検口３に嵌合される。この際、係止体１２は、操作軸部材１１を、ピン頭部１４の溝部１８に工具を係合させて、ロック解除方向に回転させておくことで、掛け金部２４を起立片３ａや外縁片４ｄから退避した状態にしておく。点検口３に点検蓋４が嵌合されると、天井パネル２の起立片３ａ上側に点検蓋４の外縁片４ｄが重なった状態となる。点検蓋４の外縁片４ｄと起立片３ａの支持部３ｂとの間には、シール材６が配設される。シール材６は、予め、外縁片４ｄ又は支持部３ｂに接着剤や接着テープ等で固定されていてもよいし、点検蓋４を点検口３に嵌合させる際に、外縁片４ｄ又は支持部３ｂに配置するようにしてもよい。
【００３９】
図６（ａ）及び（ｂ）に示すように、点検蓋４が点検口３を閉塞した後に点検蓋４を点検口３にロックするには、操作軸部材１１を、ピン頭部１４の溝部１８に工具を係合させて、ロック方向に回転させる。すると、掛け金部２４は、基板部２１とアーム部２６との間に、点検蓋４側の外縁片４ｄと天井パネル２側の起立片３ａの先端側の支持部３ｂとが挿入される。これにより、アーム部２６の突部２８は、下側から起立片３ａの先端側の支持部３ｂを支持し、アーム部２６側の弾性片２７は、上側から点検蓋４の外縁片４ｄを押圧する。これにより、掛け金部２４は、基板部２１とアーム部２６との間で、点検蓋４の外縁片４ｄと起立片３ａの支持部３ｂとを挟み込み係止し、点検蓋４が天井裏側に浮き上がることを防止することができる。
【００４０】
上記実施の形態によれば、以下のように列挙する効果を得ることができる。
（１）固定具５において、係止体１２は、点検蓋４の裏側に配置され、利用者から目に付かない位置に配置され、点検蓋の部屋側の表面には、小さな操作軸部材１１のピン頭部１４のみが露出しているだけである。したがって、天井のデザインと異なるピン頭部１４が天井の表面側から見て視認されることを抑えることができる。すなわち、ピン頭部１４は、従来の固定具の押さえ板のように、点検蓋４の浮き上がりを防止する機能を有するものではなく、小さいものであり、従って、利用者から目立たなくすることができる。
【００４１】
（２）係止体１２は、基板部２１とアーム部２６とで点検蓋４の外縁片４ｄと起立片３ａの支持部３ｂとを挟み込むようにしたので、点検蓋４の外縁片４ｄと起立片３ａの支持部３ｂとを挟み込む保持力を高くすることができる。特に、係止体１２は、板金で形成されているので、樹脂成型品で形成した場合より機械的強度も高まり、保持力を高めることができる。
【００４２】
（３）係止体１２は、上側から点検蓋４の外縁片４ｄを押圧する。また、アーム部２６の突部２８で、下側から起立片３ａの先端側の支持部３ｂを持ち上げるようにして支持する。これにより、点検蓋４の外縁片４ｄと起立片３ａの支持部３ｂとの間のシール材６は、基板部２１とアーム部２６によって所定の圧力が加わった状態で挟み込まれ、潰れた状態となる。したがって、点検蓋４の外縁片４ｄと起立片３ａの支持部３ｂとの間は、密着し、確実にシールすることができる。
【００４３】
なお、上記実施形態は、以下のように適宜変更して実施することもできる。
・図７及び図８に示すように、係止体１２の掛け金部２４は、コ字状でなくてもよい。具体的に、係止体１２の基板部２１には、掛け金部２４に代わるものとして、係止片３１を形成する。一方、天井パネル２の側には、起立片３ａに形成された支持部３ｂに連続して、点検口３側を開口端としたコ字状の凹部３２が形成されている。この凹部３２には、点検蓋４の外縁片４ｄが進入されると共に、係止片３１が係脱される。
【００４４】
図７に示すように、点検蓋４を点検口３に嵌合する際、係止体１２は、操作軸部材１１を、ピン頭部１４の溝部１８に工具を係合させて、ロック解除方向に回転させておくことで、係止片３１が天井パネル２側の凹部３２から退避した状態にしておく。点検口３に点検蓋４が嵌合されると、天井パネル２の起立片３ａに連続した支持部３ｂ上に点検蓋４の外縁片４ｄが重なった状態となる。そして、点検蓋４の外縁片４ｄと起立片３ａの支持部３ｂとの間には、シール材６が配設される。
【００４５】
図８に示すように、点検蓋４が点検口３を閉塞した後に点検蓋４を点検口３にロックするには、操作軸部材１１を、ピン頭部１４の溝部１８に工具を係合させて、ロック方向に回転させる。すると、係止体１２の係止片３１は、天井パネル２側の凹部３２に挿入され、凹部３２の上側の一片３２ａと重なった状態となる。これにより、係止片３１は、点検蓋４が浮き上がろうとしたとき、点検蓋４側の部材である係止体１２の係止片３１が天井パネル２側の部材である凹部３２の上側の一片３２ａに係止されることで、点検蓋４が天井裏側に浮き上がることを防止される。
【００４６】
・上記実施形態の例や図７の変形例の掛け金部２４において、基板部２１側の弾性片２７が点検蓋４の外縁片４ｄに接触する位置とアーム部２６側の突部２８が天井パネル２の起立片３ａの支持部３ｂに接触する位置とが対向していない場合を説明した。しかし、外縁片４ｄと支持部３ｂを挟み込む保持力を十分に確保できるのであれば、弾性片２７と突部２８の位置は、特に限定されるものではなく、例えば対向する位置に設けるようにしてもよい。
【００４７】
・更に、上記実施形態の例や図７の変形例において、基板部２１に突部２８を設け、アーム部２６に弾性片２７を設けるようにしても、同様な効果を得ることができる。また、点検蓋４の外縁片４ｄと起立片３ａの支持部３ｂとを挟み込む十分な保持力を実現できるのであれば、弾性片２７と突部２８の何れか一方を係止体１２に設けるだけとしてもよい。
【００４８】
・点検蓋４の外縁片４ｄと起立片３ａの支持部３ｂとの間にあるシール材６は、省略してもよい。この場合、点検蓋４の外縁片４ｄと起立片３ａの支持部３ｂは、間に隙間を有してもよいし、密着していてもよい。点検蓋４の外縁片４ｄと起立片３ａの支持部３ｂとの間が密着している場合には、密閉性を高めることができる。
【００４９】
・ピン支持片２２，２２の基板部２１から先端部までの高さは、先端部が点検蓋４の蓋板４ｂに接触する高さでもよいが、蓋板４ｂを傷付けないために、若干低くして、先端部が蓋板４ｂに非接触となる高さとすることが好ましい。
【００５０】
・更に、図９〜図１１に示すように、天井点検蓋固定構造１は、回動される係止体１２が点検蓋４に接触し傷を付けることを防止するカバー４１が取り付けられていてもよい。このカバー４１は、全体形状が略六面体であって、ＰＰ等の合成樹脂材料で成形されている。このカバー４１は、一面に、ピン支持片２２，２２の挿入口４２が形成され、内部空間が係止体１２の基板部２１のピン支持片２２，２２の略全体を収納可能な大きさに形成されている。カバー４１は、挿入口４２の形成された面とは反対側の面に、通気用の開口部４３が形成されている。開口部４３の面は、一方の相対する縁部に、張り出し部４４，４４が形成されている。図１１に示すように、張り出し部４４，４４の内面は、カバー４１の内部に挿入されたピン支持片２２，２２のガイド部２２ｂ，２２ｂとなっている先端部が突き当たる。すなわち、開口部４３の大きさは、操作軸部材１１のピン部１３が挿通可能でありながら、ピン部１３とは反対側の挿入口４２から挿入されたピン支持片２２，２２の先端部が開口部４３の両側の張り出し部４４，４４の内面に突き当たる大きさとなっている。また、カバー４１は、挿入口４２の面から開口部４３までの高さがピン支持片２２，２２の基端からガイド部２２ｂが形成された先端部までの高さより低く形成されて、通気のため、基板部２１と挿入口４２の開口端との間に間隙が形成されるようにしている。
【００５１】
係止体１２は、ステンレス等の金属板で形成され、点検蓋４の係止体１２が配設される位置は、薄い鉄板の表面に化粧用の塩化ビニル等の合成樹脂被膜を施した蓋板４ｂとなっている。したがって、係止体１２が回転する際に、ピン支持片２２，２２が点検蓋４の蓋板４ｂに接触すると、蓋板４ｂに傷が付いてしまう。図１１に示すように、ここでは、ピン支持片２２，２２がカバー４１に覆われており、張り出し部４４，４４がピン支持片２２，２２の先端部と蓋板４ｂとの間に存在する。係止体１２は、ピン支持片２２，２２に取り付けられたカバー４１と一体的に回転し、ピン支持片２２，２２は、直接、蓋板４ｂに接触しない。すなわち、カバー４１の張り出し部４４，４４が蓋板４ｂに接触するので、ピン支持片２２，２２が蓋板４ｂを傷付けることを防止することができる。
【００５２】
カバー４１の挿入口４２の近傍であって相対する側面には、カバー４１がピン支持片２２，２２から外れないようにする突起４５，４５が形成されている。突起４５，４５は、ピン支持片２２，２２に挿入されたとき、ピン支持片２２，２２を形成するために基板部２１に対して略９０°折曲された垂直片４６の側縁部に係止される。これにより、カバー４１は、ピン支持片２２，２２から外れることを防止することができる。
【００５３】
以上のようなカバー４１は、点検蓋４の点検口３への取り付けに先だって、点検蓋４に操作軸部材１１と係止体１２とを取り付ける際に合わせて取り付けられる。すなわち、図９に示すように、パッキン１９が取り付けられた操作軸部材１１は、ピン部１３の先端部を挿入端として点検蓋４の表面側から挿通孔１０に挿通される。そして、点検蓋４の裏面側では、係止体１２がピン支持片２２，２２にカバー４１が取り付けられて用意されている。具体的に、カバー４１は、突起４５，４５が垂直片４６の側縁部に係止されることで脱落が防止されている。そして、挿通孔１０に挿通されたピン部１３には、係止体１２が取り付けられる。具体的に、点検蓋４の挿通孔１０を挿通したピン部１３は、カバー４１の開口部４３からカバー４１内に進入され、更に、ピン支持片２２，２２の間において、先端部が基板部２１の貫通孔２３から突出するまで挿入される。係止体１２は、ピン部１３の係合片１５，１５がピン支持片２２，２２の係合孔２２ａ，２２ａに係合することで、操作軸部材１１と一体的となる。また、点検蓋４の裏面には、カバー４１、係止体１２の順で位置し、ピン支持片２２，２２の先端部と点検蓋４の蓋板４ｂとの間には、カバー４１の張り出し部４４，４４が存在することになる。なお、点検蓋４の裏面には、カバー４１、係止体１２の順に並ぶのであれば、ピン部１３を、カバー４１の開口部４３に挿通させてから、ピン部１３を、ピン支持片２２，２２の間に挿入し、突起４５，４５を垂直片４６の側縁部に係止してもよい。
【００５４】
点検蓋４は、固定具５が取り付けられた状態で、点検口３に嵌合される。この後、操作軸部材１１がロック方向に回転される。これにより、掛け金部２４を構成する基板部２１とアーム部２６との間には、点検蓋４側の外縁片４ｄと天井パネル２側の起立片３ａの先端側の支持部３ｂとが挿入される。これにより、掛け金部２４は、基板部２１とアーム部２６との間で、点検蓋４の外縁片４ｄと起立片３ａの支持部３ｂとを挟み込み係止し、点検蓋４が天井裏側に浮き上がることを防止することができる。
【００５５】
上記変形例によれば、上記（１）〜（３）の効果に加えて、以下のように列挙する効果を得ることができる。
（４）天井裏の電気配線、換気設備等のメンテナンスを行うための点検口３を開ける際には、操作軸部材１１をロック解除方向に回転し、点検蓋４のロックを解除してから、点検蓋４が外される。また、点検等が終了すれば、操作軸部材１１をロック方向に回転し、点検蓋４のロックをする。このように点検蓋４の開閉の度に、操作軸部材１１は回転操作され、これに伴い、係止体１２も回転される。このように、係止体１２の回転が繰り返されても、係止体１２のピン支持片２２，２２は、カバー４１で覆われ、カバー４１の張り出し部４４，４４が蓋板４ｂとの間に介在するので、ピン支持片２２，２２の先端部が蓋板４ｂを傷付けることを防止することができる。また、カバー４１の側壁等が点検蓋４の立ち上がり部４ｃ等に接触しても、カバー４１は、合成樹脂で形成されているので、立ち上がり部４ｃ等を傷付けることを防止することができる。
【００５６】
・以上のようなカバー４１は、挿入口４２の開口端が係止体１２の基板部２１に接触する高さであってもよい。また、カバー４１の材料も、係止体１２の板金より軟質であれば限定されるものではなく、例えばＰＰ以外の合成樹脂材料であってもよい。
【００５７】
・突起４５，４５も、ピン支持片２２，２２からの脱落のおそれがなければ特に設ける必要もない。例えば、一対のピン支持片２２，２２がカバー４１の内部に圧入されるのであれば、突起４５，４５を省略することもできる。
【００５８】
上記実施形態、および、その変形例によれば、更に、以下の技術的思想が導き出される。
（付記１）
天井点検蓋固定構造において、係止体は、基板部に一対の支持片を設け、当該一対の支持片で、前記点検蓋の外縁近傍に形成された挿通孔に挿通された操作軸部材を支持する。ここで、前記支持片は、上記ピン支持片２２，２２の相当する。これにより、前記操作軸部材を前記係止体と一体的に回転させることができる。
【００５９】
（付記２）
前記付記１において、前記支持片は、先端側からカバーが取り付けられる。これにより、前記点検蓋と前記支持片の先端部との間に前記カバーの一部が介在することになり、前記係止体が回転したときに、前記支持片の先端部が前記点検蓋を傷付けることを防止することができる。
【符号の説明】
【００６０】
１…天井点検蓋固定構造、２…天井パネル、２ａ…石膏ボード、２ｂ…天板、３…点検口、３ａ…起立片、３ｂ…支持部、４…点検蓋、４ａ…石膏ボード、４ｂ…蓋板、４ｃ…立ち上がり部、４ｄ…外縁片、５…固定具、６…シール材、１０…挿通孔、１１…操作軸部材、１２…係止体、１３…ピン部、１３ａ…平面、１４…ピン頭部、１５…係合片、１６…長孔、１７…変位部、１８…溝部、１９…パッキン、１９ａ…取付溝、２０…連結部、２１…基板部、２２…ピン支持片、２２ａ…係合孔、２２ｂ…ガイド部、２３…貫通孔、２４…掛け金部、２５…連結部、２６…アーム部、２７…弾性片、２８…突部、３１…係止片、３２…凹部、３２ａ…一片、４１…カバー、４２…挿入口、４３…開口部、４４…張り出し部、４５…突起、４６…垂直片。
【図１】
0006280831.tif 000002
【図２】
0006280831.tif 000003
【図３】
0006280831.tif 000004
【図４】
0006280831.tif 000005
【図５】
0006280831.tif 000006
【図６】
0006280831.tif 000007
【図７】
0006280831.tif 000008
【図８】
0006280831.tif 000009
【図９】
0006280831.tif 000010
【図１０】
0006280831.tif 000011
【図１１】
0006280831.tif 000012